(57)【要約】【課題】本発明は、建物、特に家やコンピュータ室等の精密装置室の床等に使用されるベリング支承の免震装置に関し、この免震装置の運搬若しくは設置作業性を改善すると共に、部品交換等のリユース性を高めることが課題である。【解決手段】上・下のベースプレートと、該上・下のベースプレートの間で転動自在に配設される複数個の球体４と、該球体４のそれぞれを平板体に設けた孔に転動可能に保持するホルダー５とで構成され免震する免震装置において、前記ホルダー５を水平方向で装置の略中央部に位置決めするとともに、この免震装置を使用箇所にセットした後に、破断して撤去可能な仮止め板６が設けられているリユース可能なベアリング支承の免震装置１とする。【選択図】    図１
2004324786.tif 000002
【特許請求の範囲】
【請求項１】
上・下のベースプレートと、該上・下のベースプレートの間で転動自在に配設される少なくとも一つ以上の球体と、該球体のそれぞれを平板体に設けた孔に転動可能に保持するホルダーとで構成され免震する免震装置において、
前記ホルダーを水平方向で装置の略中央部に位置決めするとともに、この免震装置を使用箇所にセットした後に、破断して撤去可能な仮止め板が設けられていること、
を特徴とするリユース可能なベアリング支承の免震装置。
【請求項２】
仮止め板の一部に突出部が形成され、該突出部が免震装置の端部から外部に突出していること、
を特徴とする請求項１に記載のリユース可能なベアリング支承の免震装置。
【請求項３】
突出部からホルダー囲繞部の縁部に至るスリットが設けられていること、
を特徴とする請求項２に記載のリユース可能なベアリング支承の免震装置。
【請求項４】
請求項１乃至３に記載の免震装置で支持されて成ること、
を特徴とする免震建物。
【発明の詳細な説明】
【０００１】
【発明の属する技術分野】
本発明は、建物、特に家やコンピュータ室等の精密装置室の床等に使用されるリユース可能なベアリング支承の免震装置とその免震建物に関する。
【０００２】
【従来の技術】
従来において、地盤側の基礎と建物の下部との間に設けられて、地震等による振動を免震させる免震装置は、例えば、下部ベースと上部ベースとの間に、球体（ベアリング）を介在させたものがある。
【０００３】
前記免震装置は、被載置物が載置される上ベースと、該上ベースの下面に略平行状態で対向する下ベースと、前記上・下のベースとの略平行な方向への相対変位に応じて両者間を移動可能に設けられ前記上ベースを滑動自在に支持する転がり機構と、上ベースと下ベースとの間に張設され両者を正対向する位置に付勢する第１の付勢部材等からなり、前記転がり機構は、前記上・下のベースの間に転動自在に介在する複数のボールと、該複数のボールを転動可能に保持するホルダと、前記複数のボールの転動により移動した前記ホルダを移動前の位置に復帰させるよう付勢する第２の付勢部材からなるものが知られている（例えば、特許文献１、２、３参照。）。
【０００４】
【特許文献１】
特開２０００−１４５１９７号公報（第２頁〜第４頁、図１乃至図６）
【特許文献２】
実開平２−３０５５５号公報（第１頁〜第２頁、第１図乃至第３図）
【特許文献３】
特開２００２−１３３１２号公報（第２頁〜第６頁、第１図乃至第２図）
【０００５】
【発明が解決しようとする課題】
しかしながら、上記の免震装置は、転がり機構であるので、戻し機構の併設したりして構造が複雑となり、設置場所への運搬や設置する際の位置決めのしやすさ、また老朽化した後の交換の容易さ、更に、転がり機構の防塵対策手段に関する、その交換性やリユースについて、解決すべき課題がある。本発明に係る免震装置およびその建物は、このような課題を解決するために提案されたものである。
【０００６】
【課題を解決するための手段】
上記課題を解決するために、本発明に係るリユース可能なベアリング支承の免震装置の要旨は、上・下のベースプレートと、該上・下のベースプレートの間で転動自在に配設される少なくとも一つ以上の球体と、該球体のそれぞれを平板体に設けた孔に転動可能に保持するホルダーとで構成され免震する免震装置において、前記ホルダーを水平方向で装置の略中央部に位置決めするとともに、この免震装置を使用箇所にセットした後に、破断して撤去可能な仮止め板が設けられていることである。
【０００７】
前記仮止め板の一部に突出部が形成され、該突出部が免震装置の端部から外部に突出していること、；
前記突出部からホルダー囲繞部の縁部に至るスリットが設けられていること、；を含むものである。
本発明に係る免震建物は、上記本発明の免震装置で支持されて成ることである。
【０００８】
本発明に係るリユース可能なベアリング支承の免震装置によれば、仮止め板により、この免震装置を運搬する時、若しくは、設置する時に、球体の移動を拘束して装置の略中心部に位置決めすることができる。また、この仮止め板の一部に突出部により、この仮止め板を撤去する際に、当該突出部から引き裂いて撤去する作業が容易となる。更に、スリットを設けることで、撤去作業がよりやり易くなる。
本発明に係る免震建物によれば、免震装置のリユースの作業性に優れた建物となる。
【０００９】
【発明の実施の形態】
次に、本発明に係るリユース可能なベアリング支承の免震装置１について、図面を参照して説明する。この免震装置１は、主に、一般住宅等の比較的軽量な建物に使用されるものである。
【００１０】
前記免震装置１は、図１乃至図３に示すように、耐摩耗鋼板等で形成される平板状の上・下のベースプレート２，３と、該上・下のベースプレート２，３の間で転動自在に配設される複数個の球体であるベアリング４と、該球体のそれぞれを平板体に設けた孔５ａに転動可能に保持するとともに上・下のベースプレート２，３の間に遊嵌状態で配設されるホルダー５とで構成される。
【００１１】
そして、前記免震装置１には、図４乃至図５に示すように、前記ホルダー５を水平方向で免震装置１の略中央部に位置決めするとともに、この免震装置１を使用箇所にセットした後に、破断して撤去可能な仮止め板６が設けられている。
【００１２】
前記上ベースプレート２は、建物の底部に連結される束材７にボルトで連結され、更に該束材７の上に建物の基礎梁が連結されている。下ベースプレート３は、アンカーで基礎に固定されたコンクリート基礎部８上において植込みナットにボルト９をねじ込んで固定されている。
【００１３】
前記上ベースプレート２の周縁部には、この上ベースプレート２と束材底板７ａとの両端部に弾性的に嵌合し、前記上・下ベースプレート２，３間の隙間（略２５ｍｍ程度）を下垂れ部１０ａで塞ぐ、防塵ゴム１０が嵌装されている。
【００１４】
前記仮止め板６について更に詳細説明する。図４乃至図５に示すように、この仮止め板６は前記ホルダー５を囲繞する大きさの孔６ａが中央部にあり、外周部は、この一実施例において矩形状（略４００×４００ｍｍ）の前記下ベースプレート３よりも４隅を丸くして小さくされた前記上ベースプレート２の外形形状より若干小さい形状になっている。
【００１５】
また、仮止め板６の一部に突出部６ｂが形成され、該突出部６ｂが免震装置１の端部から外部に突出している。更に、前記突出部６ｂから前記孔６ａのホルダー囲繞部の縁部に至るスリット６ｃが設けられている。
【００１６】
前記仮止め板６は、例えば、ダンボール紙等で形成されるものである。後に手作業で引き裂いて撤去しやすくするためである。
【００１７】
このような免震装置１であるので、使用に際しては、図４に示すように、下ベースプレート３の上に、少なくとも一つ以上のベアリング４を置き、該ベアリング４にホルダー５の天板５ａの転動孔５ｂにそれぞれ独立に填め込み、ホルダー５に孔６ａを嵌合させて、仮止め板６を取り付ける。
【００１８】
そして、図５に示すように、上ベースプレート２を前記ベアリング４の上に載置する。この上ベースプレート２の４隅の取付孔２ａにボルトを通して下ベースプレート３のネジ孔に螺着する。上ベースプレート２の外周部に防塵ゴム１０を装着しておく。これにより、ホルダー５は、装置１の略中央部に位置決めされるのである。
【００１９】
これにより、上・下ベースプレート２，３とが互いに固定され、その間にベアリング４が少なくとも一つ以上配設され、しかも、ホルダー５と仮止め板６とによりベアリング４が略中央部に位置決めされて、免震装置１が組み立てられる。
【００２０】
図５乃至図６に示す状態で、免震装置１としてトラック等で建築現場に運搬するものである。そして、前記免震装置１が一般住宅等の基礎８に、ボルト９を取付孔３ａに挿通させて埋め込みナットにねじ込んで設置された後、図７に示すように、仮止め板６を、その突出部６ｂから引き裂いて撤去する。上ベースプレート２に束材７を、前記孔２ａに挿通させたボルトとナットで固定する。前記防塵ゴム１０は、図３（Ｂ）に示すように、上ベースプレート２及び束材底板７ａの端部の全周に嵌合させて取り付けられており、免震装置１の内部空間に塵埃等が侵入するのを防止する。
【００２１】
この免震装置１により、図８に示すように、地震時には、水平方向に揺れに対して、ボールベアリング４が転動し、このベアリングの移動量δ１に対して束材７がその２倍のδｕだけ相対移動するものである。なお、この後、地震が納まった後に復帰手段で元の位置に戻されるものである。
【００２２】
【発明の効果】
上記説明したように、本発明に係るリユース可能なベアリング支承の免震装置は、上・下のベースプレートと、該上・下のベースプレートの間で転動自在に配設される少なくとも一つ以上の球体と、該球体のそれぞれを平板体に設けた孔に転動可能に保持するホルダーとで構成され免震する免震装置において、前記ホルダーを水平方向で装置の略中央部に位置決めするとともに、この免震装置を使用箇所にセットした後に、破断して撤去可能な仮止め板が設けられているので、免震装置の組立体において球体の位置決めがなされ、運搬時や設置時において作業性が向上すると言う優れた効果を奏するものである。
【００２３】
前記仮止め板の一部に突出部が形成され、該突出部が免震装置の端部から外部に突出しているので、仮止め板の撤去が容易となり、また、前記突出部からホルダー囲繞部の縁部に至るスリットが設けられているので、引き裂きやすくなるものである。
更に、免震建物が前記免震装置で支持されて成るので、交換作業も行いやすく、リユースに適した建物となる。
【図面の簡単な説明】
【図１】本発明に係るリユース可能なベアリング支承の免震装置１の使用状態の説明用正面図である。
【図２】同本発明に係るリユース可能なベアリング支承の免震装置１の使用状態の説明用平面図である。
【図３】免震装置１の防塵ゴム１０の断面図（Ａ）と、図２のＡ−Ａ線に沿った断面図（Ｂ）である。
【図４】免震装置１の組立の途中において、仮止め板６をセットした状態の平面図である。
【図５】免震装置１を組み立てた状態において、防塵ゴム１０を除いた状態の平面図である。
【図６】免震装置１の断面図（Ａ）と、一部拡大図（Ｂ）と、ホルダー５の平面図（Ｃ）である。
【図７】免震装置１の、仮止め板６を撤去した後の使用状態の平面図である。
【図８】免震装置１による免震状態の説明図である。
【符号の説明】
１      リユース可能なベアリング支承の免震装置、
２      上ベースプレート、
２ａ    孔、                        ３      下ベースプレート、
４      ベアリング、                ５      ホルダー、
６      仮止め板、                  ６ａ    孔、
６ｂ    突出部、                    ６ｃ    スリット、
７      束材、                      ７ａ    束材底板、
８      基礎部、                    ９      ボルト、
１０    防塵ゴム、                  １０ａ  下垂れ部。
【図１】
2004324786.tif 000003
【図２】
2004324786.tif 000004
【図３】
2004324786.tif 000005
【図４】
2004324786.tif 000006
【図５】
2004324786.tif 000007
【図６】
2004324786.tif 000008
【図７】
2004324786.tif 000009
【図８】
2004324786.tif 000010